(57)【要約】  ホーム基地局ゲートウェイを介してコアネットワークに接続されたホーム基地局からホーム基地局ゲートウェイを介して結合されていない別の基地局に移動デバイスを転送できるようにするためのハンドオーバー手順が提供される通信システムが記述される。ハンドオーバー手順に対する新規の拡張が提供され、それによれば、ホーム基地局ゲートウェイが移動デバイスの転送を通知され、基地局ゲートウェイにおいて移動デバイスに割り当てられたコンテキスト及びリソースを解放できるようになる。
2013541232.tif 000002
【特許請求の範囲】
【請求項１】
複数の移動デバイスと通信し、ホーム基地局ゲートウェイを介してコアネットワークに結合される基地局であって、
ハンドオーバープロセスを実行するように構成される接続管理モジュールを備え、該接続管理モジュールは、
前記ホーム基地局ゲートウェイを介することなく前記コアネットワークに結合された別の基地局に、該基地局から移動デバイスに関連付けられた通信リンクを転送する手段と、
前記別の基地局から、ハンドオーバーが完了したことを示すメッセージを受信する手段と、
前記ハンドオーバーが完了したことを示すメッセージを受信するのに応答して、前記ホーム基地局ゲートウェイに、前記移動デバイスがもはや該基地局に結合されていないという指示を送信するように動作可能な手段とを備える、複数の移動デバイスと通信し、ホーム基地局ゲートウェイを介してコアネットワークに結合される基地局。
【請求項２】
前記基地局はホーム基地局を含む、請求項１に記載の基地局。
【請求項３】
前記通信リンクを別の基地局に転送するための手段は、前記通信リンクを更なるホーム基地局に転送する手段を含む、請求項１又は２に記載の基地局。
【請求項４】
前記更なるホーム基地局は更なるホーム基地局ゲートウェイを介して前記コアネットワークに結合される、請求項３に記載の基地局。
【請求項５】
前記通信リンクを別の基地局に転送するための手段は、前記通信リンクを前記別の基地局に関連付けられたマクロセルに転送する手段を含む、請求項１に記載の基地局。
【請求項６】
前記ハンドオーバープロセスはＸ２ベースのハンドオーバー手順を含む、請求項１〜５のいずれか一項に記載の基地局。
【請求項７】
前記ハンドオーバーが完了したことを示すメッセージは、Ｘ２  ＵＥコンテキスト解放メッセージを含む、請求項１〜６のいずれか一項に記載の基地局。
【請求項８】
基地局ゲートウェイを介してコアネットワークに結合されたソース基地局から、該基地局ゲートウェイを介することなく該コアネットワークに結合されたターゲット基地局への移動デバイスのハンドオーバーを実行し、
前記ターゲット基地局からハンドオーバーが完了したことを示すメッセージを受信し、
前記ハンドオーバーが完了したことを示すメッセージを受信するのに応答して、前記基地局ゲートウェイに、前記移動デバイスがもはや前記基地局に結合されていないという指示を送信することを含む、通信ネットワークにおいてハンドオーバーを容易にする方法。
【請求項９】
複数の基地局と通信し、コアネットワークに結合されるホーム基地局ゲートウェイであって、
前記基地局ゲートウェイに結合された基地局から、移動デバイスに関連付けられた通信リンクが該基地局から更なる基地局に転送されたという指示を受信するように構成され、該指示を受信するのに応答して、該移動デバイスに関連付けられたコンテキストを解放するように更に構成される移動電話登録モジュールを備えたホーム基地局ゲートウェイ。
【請求項１０】
前記更なる基地局は前記基地局ゲートウェイを介して前記コアネットワークに結合されていない、請求項９に記載のホーム基地局ゲートウェイ。
【請求項１１】
前記通信リンクの前記転送はＸ２ベースのハンドオーバー手順を含む、請求項９又は１０に記載のホーム基地局ゲートウェイ。
【請求項１２】
前記基地局はホーム基地局を含む、請求項９〜１１のいずれか一項に記載のホーム基地局ゲートウェイ。
【請求項１３】
基地局ゲートウェイにおいて、該基地局ゲートウェイに結合された基地局から、移動デバイスに関連付けられた通信リンクが該基地局から更なる基地局に転送されたという指示を受信し、
前記指示の受信に応答して、前記移動デバイスに関連付けられたコンテキストを解放することを含む、通信ネットワークにおいてハンドオーバーを容易にする方法。
【請求項１４】
基地局に転送される通信リンクに関連付けられた前記基地局からの経路切替要求を識別するように構成される移動電話登録モジュールを備え、
前記移動電話登録モジュールは、前記経路切替要求を識別するのに応答して、前記通信リンクに関連付けられた移動デバイスにコンテキストを割り当てるように更に構成されている、複数の基地局と通信し、コアネットワークに結合されるホーム基地局ゲートウェイ。
【請求項１５】
前記基地局は前記基地局ゲートウェイを介して前記コアネットワークに結合される、請求項１４に記載のホーム基地局ゲートウェイ。
【請求項１６】
前記通信リンクの基地局への前記転送はＸ２ベースのハンドオーバー手順を含む、請求項１４又は１５に記載のホーム基地局ゲートウェイ。
【請求項１７】
複数の移動デバイスと通信し、ホーム基地局ゲートウェイを介してコアネットワークに結合される基地局であって、
ハンドオーバープロセスを実行するように構成される接続管理モジュールを備え、該ハンドオーバープロセスは、
移動デバイスに関連付けられた通信リンクを、前記ホーム基地局ゲートウェイを介することなく前記コアネットワークに結合された別の基地局から前記基地局に転送することを含み、前記ハンドオーバープロセスは、更に、前記別の基地局から、前記移動デバイスを識別する情報を与えるメッセージを受信し、該基地局において前記移動デバイスを識別する前記情報を格納することを含む基地局。
【請求項１８】
前記基地局はホーム基地局を含む、請求項１７に記載の基地局。
【請求項１９】
前記通信リンクの前記転送はＸ２ベースのハンドオーバー手順を含む、請求項１７又は１８に記載の基地局。
【請求項２０】
前記移動デバイスを識別する前記情報は、ＭＭＥ  ＵＥ  Ｓ１ＡＰ  ＩＤ値を含む、請求項１７〜１９のいずれか一項に記載の基地局。
【請求項２１】
請求項１〜７、又は請求項１７〜２０のいずれか一項に記載の基地局とともに動作するように構成される、ユーザー機器。
【請求項２２】
プロセッサ上で実行されるときに請求項８又は請求項１３のステップを実行するように構成されるコンピュータープログラムコードを含むコンピュータープログラム。
【請求項２３】
複数の移動デバイスと通信し、ホーム基地局ゲートウェイを介してコアネットワークに結合される基地局であって、
ハンドオーバープロセスを実行するように構成される接続管理モジュールを備え、該ハンドオーバープロセスは、
移動デバイスに関連付けられた通信リンクを該基地局から、前記ホーム基地局ゲートウェイを介することなく前記コアネットワークに結合された別の基地局に転送することを含み、
前記ハンドオーバープロセスは、前記別の基地局から、ハンドオーバーが完了したことを示すメッセージを受信することと、前記ハンドオーバーが完了したことを示すメッセージを受信するのに応答して、前記ホーム基地局ゲートウェイに、前記移動デバイスがもはや前記基地局に結合されていないという指示を送信することとを更に含む、複数の移動デバイスと通信し、ホーム基地局ゲートウェイを介してコアネットワークに結合される基地局。
【請求項２４】
ハンドオーバープロセスを実行するように構成される接続管理モジュールを備え、該接続管理モジュールは、移動デバイスに関連付けられた通信リンクを、前記ホーム基地局ゲートウェイを介することなく前記コアネットワークに結合された別の基地局から該基地局に転送する手段と、前記別の基地局から、前記移動デバイスを識別する情報を与えるメッセージを受信する手段と、前記基地局において、前記移動デバイスを識別する前記情報を格納する手段を備える、複数の移動デバイスと通信し、ホーム基地局ゲートウェイを介してコアネットワークに結合される基地局。
【請求項２５】
請求項１３に記載の方法を実行するように構成される基地局から、ハンドオーバーするように構成される移動端末。
【発明の詳細な説明】
【技術分野】
【０００１】
本発明は移動通信ネットワークに関し、限定はしないが、特に、第３世代パートナーシッププロジェクト（３ＧＰＰ）標準規格又はその等価的若しくは派生的な規格に従って動作するネットワークに関する。本発明は、限定はしないが、特に、基地局間の移動デバイスのハンドオーバーの管理に関連する。
【０００２】
本出願は、２０１１年２月１８日に出願された英国特許出願第１１０２８８３．４号を基礎としており、この英国特許出願の優先権の利益を主張する。この英国特許出願の開示は、参照によりその全体が本明細書に援用される。
【背景技術】
【０００３】
３ＧＰＰ標準規格の下で、ＮｏｄｅＢ（又はＬＴＥにおいてはｅＮＢ）は、移動デバイスがコアネットワークに接続する際に経由する基地局である。最近では、３ＧＰＰ標準化団体は、公式のアーキテクチャを採用し、ホーム基地局（ＨＮＢ）のための新たな標準規格に対する取り組みを始めた。ホーム基地局がＬＴＥ（ロングタームエボリューション）標準規格に従って動作している場合、ＨＮＢはＨｅＮＢと呼ばれることがある。同様のアーキテクチャがＷｉＭＡＸネットワークにも適用される。この場合、ホーム基地局は一般にフェムトセルと呼ばれる。単純にするために、本出願ではＨｅＮＢという用語を用いて任意のそのようなホーム基地局を指し、ＮｏｄｅＢという用語を総称的に用いて他の基地局（ＨｅＮＢが動作するマクロセルの基地局等）を指す。ＨｅＮＢは自宅、中小企業、ショッピングモール等内の無線カバレッジ（例えば３Ｇ／４Ｇ／ＷｉＭＡＸ）を提供し、適切な公衆ネットワーク（例えばインターネットへのＡＤＳＬリンク）又はオペレーターネットワークを介してコアネットワークへ接続し、３ＧＰＰ標準規格の場合は、通常幾つかのＨＮＢからのトラフィックを集約するオプションのＨｅＮＢゲートウェイ（ＨｅＮＢ−ＧＷ）を介してコアネットワークへ接続する。
【０００４】
ＨｅＮＢゲートウェイの背後で接続されるＨｅＮＢの場合、２対の移動電話関連接続が確立され、一方はＨｅＮＢとＨｅＮＢゲートウェイとの間に、もう一方はＨｅＮＢゲートウェイとコアネットワーク内の移動管理エンティティ（ＭＭＥ）との間に確立される。特定の移動電話に関連付けられた２つのコンテキスト間のマッピングはＨｅＮＢゲートウェイによって実行され、それゆえ、１台の移動電話がＨｅＮＢゲートウェイの背後にあるＨｅＮＢに接続される場合、コンテキスト及びリソースはＨｅＮＢ及びＨｅＮＢゲートウェイの両方において割り当てられる。
【０００５】
他のＮｏｄｅＢと同様に、ＨｅＮＢはＸ２インターフェースを用いて互いに（そして他のＮｏｄｅＢ）と通信することができる。詳細には、ＨｅＮＢは、コアネットワークによって全体を制御することなく、Ｘ２インターフェースを用いてソース基地局とターゲット基地局との間のハンドオーバープロセスを調整することができる。２つのＨｅＮＢ間のＸ２ベースのハンドオーバー中に、ターゲットＨｅＮＢは、Ｘ２ＡＰ  ＵＥコンテキスト解放手順を用いて、ソースＨｅＮＢにおいてＵＥコンテキストを明示的に解放する。しかしながら、Ｘ２インターフェースがハンドオーバーを調整するために用いられるとき、ソースＨｅＮＢがＨｅＮＢゲートウェイの背後にある場合、ＵＥコンテキストの解放に関連するメッセージがＨｅＮＢゲートウェイの中を横断しないので、ＨｅＢＮゲートウェイは、移動電話がＸ２ベースのハンドオーバーによってターゲットＨｅＮＢにハンドオーバーされたことを理解するすべがない。
【０００６】
したがって、現在のハンドオーバープロセスによれば、ソースＨｅＮＢがＨｅＮＢゲートウェイの背後にあるが、ターゲットＨｅＮＢが同じＨｅＮＢゲートウェイの背後にない場合に、Ｘ２ベースのハンドオーバーが行なわれるときはいつでも、ＨｅＮＢゲートウェイによって移動電話に割り当てられたＵＥコンテキスト及び関連するリソースは解放されないことになる。したがって、この問題を克服するために現在のプロセスを改変することが必要とされている。
【０００７】
当業者が効率的に理解するために、本発明は３Ｇシステム（ＵＭＴＳ、ＬＴＥ）との関連で詳細に説明されることになるが、本発明の原理は、システムの対応する要素を必要に応じて変更して、移動デバイス又はユーザー機器（ＵＥ）が幾つかの基地局のうちの１つと通信する他のシステム（ＷｉＭＡＸ等）にも適用することができる。
【発明の概要】
【発明が解決しようとする課題】
【０００８】
したがって、本発明の好ましい実施の形態は、上記の問題を克服するか、又は少なくとも緩和する方法及び装置を提供することを目的とする。
【課題を解決するための手段】
【０００９】
本発明の第１の態様によれば、複数の移動デバイスと通信し、ホーム基地局ゲートウェイを介してコアネットワークに結合される基地局であって、
ハンドオーバープロセスを実行するように構成される接続管理モジュールを備え、該接続管理モジュールは、
該基地局から前記ホーム基地局ゲートウェイを介することなく前記コアネットワークに結合された別の基地局に、移動デバイスに関連付けられた通信リンクを転送する手段と、
前記別の基地局から、ハンドオーバーが完了したことを示すメッセージを受信する手段と、
前記ハンドオーバーが完了したことを示すメッセージを受信するのに応答して、前記ホーム基地局ゲートウェイに、前記移動デバイスがもはや該基地局に結合されていないという指示を送信するように動作可能な手段とを備えた基地局が提供される。
【００１０】
前記基地局はホーム基地局、例えば、ＨｅＮＢを含むことができ、ホーム基地局ゲートウェイはＨｅＮＢをコアネットワークに接続するためのＨｅＮＢゲートウェイを含むことができる。
【００１１】
前記通信リンクを別の基地局に転送する手段は、前記通信リンクを更なるホーム基地局、すなわち、更なるＨｅＮＢに転送する手段を含むことができる。更なるＨｅＮＢは、異なるホーム基地局ゲートウェイ、すなわち、ＨｅＮＢゲートウェイを介してコアネットワークに結合することもできる。
【００１２】
前記通信リンクを別の基地局に転送する手段は、前記通信リンクを前記別の基地局、例えば、ｅＮＢに関連付けられたマクロセルに転送する手段を更に含むことができる。
【００１３】
前記ハンドオーバープロセスはＸ２ベースのハンドオーバー手順を含むことができ、前記ハンドオーバーが完了したことを示すメッセージは、Ｘ２  ＵＥコンテキスト解放メッセージを含むことができる。
【００１４】
本発明の更なる態様によれば、基地局ゲートウェイを介してコアネットワークに結合されたソース基地局から、該基地局ゲートウェイを介することなく該コアネットワークに結合されたターゲット基地局への移動デバイスのハンドオーバーを実行することと、
前記ターゲット基地局からハンドオーバーが完了したことを示すメッセージを受信することと、
前記ハンドオーバーが完了したことを示すメッセージを受信するのに応答して、前記基地局ゲートウェイに、前記移動デバイスがもはや前記基地局に結合されていないという指示を送信することとを含む、通信ネットワークにおいてハンドオーバーを容易にする方法が提供される。
【００１５】
本発明の更なる態様によれば、複数の基地局と通信し、コアネットワークに結合されるホーム基地局ゲートウェイであって、
前記基地局ゲートウェイに結合された基地局から、移動デバイスに関連付けられた通信リンクが該基地局から更なる基地局に転送されたという指示を受信するように構成され、該指示を受信するのに応答して、該移動デバイスに関連付けられたコンテキストを解放するように更に構成される移動電話登録モジュールを備えたホーム基地局ゲートウェイが提供される。
【００１６】
前記更なる基地局は前記基地局ゲートウェイを介して前記コアネットワークに結合されず、例えば、更なる基地局はコアネットワークに直接結合することもできるし、異なるホーム基地局ゲートウェイを介して結合することもできる。
【００１７】
前記通信リンクの前記転送はＸ２ベースのハンドオーバー手順を含むことができる。前記基地局は、ＨｅＮＢのようなホーム基地局とすることができる。
【００１８】
本発明の更なる態様によれば、基地局ゲートウェイにおいて、該基地局ゲートウェイに結合された基地局から、移動デバイスに関連付けられた通信リンクが該基地局から更なる基地局に転送されたという指示を受信し、
前記指示の受信に応答して、前記移動デバイスに関連付けられたコンテキストを解放することを含む、通信ネットワークにおいてハンドオーバーを容易にする方法が提供される。
【００１９】
本発明の更なる態様によれば、基地局からの経路切替要求を識別するように構成される移動電話登録モジュールを備え、該経路切替要求は前記基地局に転送される通信リンクに関連付けられ、
前記移動電話登録モジュールは、前記経路切替要求を識別するのに応答して、前記通信リンクに関連付けられた移動デバイスにコンテキストを割り当てるように更に構成される、複数の基地局と通信し、コアネットワークに結合されるホーム基地局ゲートウェイが提供される。
【００２０】
前記基地局はＨｅＮＢのようなホーム基地局とすることができ、前記基地局ゲートウェイを介して前記コアネットワークに接続することができる。前記通信リンクの基地局への前記転送はＸ２ベースのハンドオーバー手順を含むことができる。
【００２１】
本発明の更なる態様によれば、ハンドオーバープロセスを実行するように構成される接続管理モジュールを備え、該ハンドオーバープロセスは、
前記ホーム基地局ゲートウェイを介することなく前記コアネットワークに結合された別の基地局から該基地局に移動デバイスに関連付けられた通信リンクを転送することを含み、該別の基地局は、前記ハンドオーバープロセスは、前記別の基地局から、前記移動デバイスを識別する情報を与えるメッセージを受信することと、該基地局において前記移動デバイスを識別する前記情報を格納することとを更に含む、複数の移動デバイスと通信し、ホーム基地局ゲートウェイを介してコアネットワークに結合される基地局が提供される。
【００２２】
前記基地局はホーム基地局、例えばＨｅＮＢを含むことができる。前記通信リンクの前記転送はＸ２ベースのハンドオーバー手順を含むことができる。
【００２３】
前記移動デバイスを識別する前記情報は、ＭＭＥ  ＵＥ  Ｓ１ＡＰ  ＩＤ値を含む。
【００２４】
本発明の更なる態様によれば、上記に記載の基地局とともに動作するように構成される、ユーザー機器が提供される。
【００２５】
本発明の更なる態様によれば、上記に記載の方法のうちの任意のものを実行するように構成されるコンピュータープログラムコードを含むコンピュータープログラム製品が提供される。
【００２６】
本発明の更なる態様によれば、複数の移動デバイスと通信し、ホーム基地局ゲートウェイを介してコアネットワークに結合される基地局であって、
ハンドオーバープロセスを実行するように構成される接続管理モジュールを備え、該ハンドオーバープロセスは、
該基地局からた別の基地局に移動デバイスに関連付けられた通信リンクを転送することを含み、前記ハンドオーバープロセスは、前記別の基地局から、ハンドオーバーが完了したことを示すメッセージを受信することと、前記ハンドオーバーが完了したことを示すメッセージを受信するのに応答して、前記ホーム基地局ゲートウェイに、前記移動デバイスがもはや前記基地局に結合されていないという指示を送信することとを更に含む基地局が提供される。
【００２７】
本発明の更なる態様によれば、複数の移動デバイスと通信し、ホーム基地局ゲートウェイを介してコアネットワークに結合される基地局であって、
ハンドオーバープロセスを実行するように構成される接続管理モジュールを備え、該接続管理モジュールは、前記ホーム基地局ゲートウェイを介することなく前記コアネットワークに結合された別の基地局から該基地局に、移動デバイスに関連付けられた通信リンクを転送する手段と、前記別の基地局から、前記移動デバイスを識別する情報を与えるメッセージを受信する手段と、前記基地局において、前記移動デバイスを識別する前記情報を格納する手段とを備える、基地局が提供される。
【００２８】
次に、本発明の実施形態を、例として、添付の図面を参照しながら説明する。
【図面の簡単な説明】
【００２９】
【図１】移動通信システムを示す概略図である。
【図２ａ】図１の移動通信システム内のハンドオーバーシナリオを概略的に示す図である。
【図２ｂ】図１の移動通信システム内のハンドオーバーシナリオを概略的に示す図である。
【図３】図１に示されるシステムの一部を形成するホームｅＮＢのブロック図である。
【図４】図１に示されるシステムの一部を形成するホーム基地局ゲートウェイのブロック図である。
【図５】移動電話との通信がソースホーム基地局とターゲットホーム基地局との間で転送されるハンドオーバー手順を示すタイミング図である。
【図６】移動電話との通信が、コアネットワーク内の異なるサービングゲートウェイによってサービングされるソースホーム基地局とターゲットホーム基地局との間で転送されるハンドオーバー手順を示すタイミング図である。
【図７】図１の移動通信システム内の更なるハンドオーバーシナリオを例示する概略図である。
【図８】図５のハンドオーバー手順の一部を示すタイミング図である。
【発明を実施するための形態】
【００３０】
概説
図１は、移動（セルラー）通信システム１を概略的に示しており、そのシステムでは、移動電話３のユーザーが、アクセスするのを許可されることができる「ホーム」基地局（ＨｅＮＢ）１１−１を介して他のユーザー（図示せず）と通信することができる。ＨｅＮＢ１１−１はホーム基地局ゲートウェイ（ＨｅＮＢ−ＧＷ）１５を介して、移動管理エンティティ／サービングゲートウェイ（ＭＭＥ／Ｓ−ＧＷ）６−１を含むコア電話網８に結合される。通信システム１において、ユーザーはＨｅＮＢ１１−２を介して他のユーザー（図示せず）と通信することもでき、この例では、ＨｅＮＢ１１−２も同じ基地局ゲートウェイ（ＨｅＮＢ−ＧＷ）１５を介して、移動管理エンティティ／サービングゲートウェイ６−１に結合される。
【００３１】
図１の例では、ＨｅＮＢ１１−１及び１１−２は、インターネット接続を提供するＡＤＳＬ又はケーブル接続のような適切なネットワーク接続を介して共通のＨｅＮＢ−ＧＷ１５に接続し、全てのアップリンク通信がＨｅＮＢ−ＧＷ１５を介して送信できるように、ＨｅＮＢ−ＧＷ１５のＩＰアドレスをプログラミングされている。ＨｅＮＢ１１−３は更なるセルエリアを提供し、そのエリアでは、ユーザーは、ＨｅＮＢ−ＧＷ１５に接続することなく、ＨｅＮＢ１１−３、及びＡＤＳＬ又はケーブル接続のような適切なインターネット接続を介して、移動管理エンティティ（ＭＭＥ）／サービングゲートウェイ（Ｓ−ＧＷ）６−２に接続することができる。ＨｅＮＢ１１−３はＨｅＮＢ１１−１及び１１−２とは異なるＭＭＥ／Ｓ−ＧＷ６−２に接続するように示されるが、ＨｅＮＢ１１−３はＨｅＮＢ  ＧＷ１５を介して接続することなく、同じＭＭＥ／Ｓ−ＧＷ６−１に接続できることに留意されたい。
【００３２】
既知のように、移動電話３は、第１のＨｅＮＢ１１−２に関連付けられたセルから第２のＨｅＮＢ１１−３に関連付けられた第２のセルに移動する場合がある。ハンドオーバーＨＯを実行するプロセスが図１に概略的に示されており、図６を参照しながら後に更に詳細に説明される。ＭＭＥ(Mobile Management Entity)６−１及び／又はＭＭＥ６−２は、移動デバイスが移動管理エンティティ（ＭＭＥ）及び発展型パケットシステム（Evolved Packet System:ＥＳS）ベアラコンテキストのデータベース内でネットワークの中を移動するのに応じて、移動デバイス、及び移動デバイスと基地局との接続を維持しながら追尾する。
【００３３】
図２ａ及び図２ｂは更なるハンドオーバーシナリオを示しており、そのシナリオでは、移動局（ここでは、移動電話）３のＸ２ベースのハンドオーバー後に、ＨｅＮＢゲートウェイ１５において移動局に割り当てられたコンテキスト及びリソースが解放されない場合がある。
【００３４】
図２ａに示されるシナリオでは、移動電話３はソースＨｅＮＢ１１−２に関連付けられたセルからターゲットＨｅＮＢ１１−３に移動する。この場合、ソースＨｅＮＢ１１−２は第１のＨｅＮＢ  ＧＷ１５−１を介してコアネットワーク８に結合され、一方、ターゲットＨｅＮＢ１１−３はＨｅＮＢ  ＧＷ１５−２を介してコアネットワーク８に接続される。
【００３５】
図２ｂに示されるシナリオは、ターゲット基地局が更なるＨｅＮＢではなく、ｅＮＢ１３を含んでいること以外、図１のハンドオーバーシナリオと同様である。通信ネットワーク１の幾つかの実施態様によれば、そのようなハンドオーバーが起こり得る場合があり、そのような実施態様において、本発明の実施形態によって対処される問題が明らかになる。
【００３６】
図１、図２ａ及び図２ｂに示される各ハンドオーバーシナリオにおいて、本発明の実施形態は、ＨｅＮＢゲートウェイ１５−１を介してコアネットワーク８に結合されたソースＨｅＮＢから同じＨｅＮＢゲートウェイ１５−１を介して結合されていないターゲット基地局に移動電話をハンドオーバーするためにＸ２ベースのハンドオーバー手順が用いられるときに、ＨｅＮＢゲートウェイ１５−１において移動電話３に割り当てられたコンテキスト及びリソースの解放を容易にする方法を提供する。
【００３７】
当業者によって理解されるように、コアネットワーク８は、通信ネットワーク１を提供するために必要とされる数多くの他のエンティティ及びモジュールを含む場合があるが、これらは説明を簡略化するために図示されていない。そのようなエンティティは、移動デバイスにパケットデータをルーティングするためのパケットデータネットワーク（ＰＤＮ）ゲートウェイを含む。
【００３８】
ホーム基地局（ＨｅＮＢ）
図３は、図１に示すホーム基地局（ＨｅＮＢ）１１のうちの１つの主要構成要素を示すブロック図である。図示されるように、ＨｅＮＢ１１は、１つ又は複数のアンテナ５３を介して移動電話３に対し信号を送受信するように動作可能であり、かつＨｅＮＢ−ＧＷインターフェース５５を介してＨｅＮＢ−ＧＷ１５に対し信号を送受信するように動作可能な送受信機回路部５１を備える。送受信機回路部５１の動作は、メモリ５９内に記憶されているソフトウェアに従ってコントローラー５７によって制御される。このソフトウェアには、中でも、オペレーティングシステム６１、基地局登録モジュール６３、移動電話登録モジュール６５、及び接続管理モジュール６７が含まれる。
【００３９】
基地局登録モジュール６３は、ＨｅＮＢをＨｅＮＢ−ＧＷ１５に登録するように動作可能であり、移動電話登録モジュール６５は、ユーザー機器３をＨｅＮＢ１１及びＨｅＮＢ−ＧＷ１５に登録するように動作可能である。接続管理モジュール６７は、ＨｅＮＢ１１のセルにキャンプオンする移動電話の接続を管理し、セルに関するシステム情報を近傍の移動電話３にブロードキャストするように動作可能である。
【００４０】
移動電話のハンドオーバー成功の結果として、ターゲットＨｅＮＢ１１の接続管理モジュール６７は、移動電話に関連付けられたコンテキスト及びリソースを解放するようにソースＨｅＮＢに通知するメッセージを送信するように構成される。移動電話登録モジュール６５は、このメッセージを受信すると、ハンドオーバーされた移動電話に関連付けられたコンテキスト及びリソースを解放するように動作可能である。
【００４１】
ＨｅＮＢゲートウェイ（ＧＷ）
図４は図１に示されるＨｅＮＢゲートウェイ（ＨｅＮＢ−ＧＷ）１５の主要構成要素を示すブロック図である。図に示されるように、ＨｅＮＢ−ＧＷ１５は、ＨｅＮＢインターフェース１０３を介してＨｅＮＢ１１−１、１１−２に対し信号を送受信するように動作可能であり、かつコアネットワークインターフェース１０５を介してコアネットワーク８内のＭＭＥ／Ｓ−ＧＷ６に対し信号を送受信するように動作可能である送受信機回路１０１を備えている。送受信機回路１０１の動作は、メモリ１０９に記憶されるソフトウェアに従ってコントローラー１０７によって制御される。そのソフトウェアは、中でも、オペレーティングシステム１１１、ＨｅＮＢ登録モジュール１１３、及び移動電話登録モジュール１１５を含む。ＨｅＮＢ登録モジュール１１３は、ゲートウェイへのＨｅＮＢ１１−１、１１−２の登録を制御するように動作可能であり、移動電話登録モジュール１１５は、移動電話等のユーザー機器３の登録を制御し、必要に応じてアクセス制御を実行するように動作可能である。
【００４２】
移動電話登録モジュール１１５は、ホーム基地局ゲートウェイを介してコアネットワーク８に接続されたホーム基地局から、その基地局に以前に接続され、それゆえ、ホーム基地局ゲートウェイにおいて登録されたコンテキストを有するユーザー機器がホーム基地局ゲートウェイに結合されていないターゲット基地局にハンドオーバーされたという指示を受信するように更に動作可能である。ユーザー機器がハンドオーバーされたという指示を受信するのに応答して、移動電話登録モジュール１１５は、ユーザー機器３に関連付けられたコンテキスト及びリソースを解放するように動作可能である。
【００４３】
Ｘ２ベースのハンドオーバー
ここで、一例として、図１、図２ａ、及び図２ｂに示したホーム基地局１１−２と１１−３との間の移動電話３のＸ２ベースのハンドオーバーを、図５のタイミング図を参照しながら説明する。
【００４４】
当業者には理解できるように、Ｘ２インターフェースは、基地局が互いに通信する際に経由するインターフェースである。Ｘ２ベースのハンドオーバーでは、ハンドオーバープロセスは、コアネットワーク８によって全体を制御することなく、ソース基地局とターゲット基地局との間で調整される。それゆえ、Ｘ２ベースのハンドオーバーはコアネットワーク８にかかる負荷を低減するので好都合である。
【００４５】
図５に示されるように、移動電話（即ち、ユーザ機器ＵＥ）３がソースＨｅＮＢ１１−２との通信を確立すると、ソースＨｅＮＢ１１−２は移動電話３とコアネットワーク８のＭＭＥ／Ｓ−ＧＷ６−１との間で（ＨｅＮＢ−ＧＷ１５を介して）パケットデータを中継する。移動電話３とソースＨｅＮＢ１１−２との間の通信中に、移動電話３とＨｅＮＢ１１−２及び他の基地局との間の通信の特性が測定され、移動電話の接続移動性の制御を支援する。ＨｅＮＢ１１−２は、移動電話３に、ＨｅＮＢ１１−２に測定報告を送信させるように動作可能である。
【００４６】
測定報告情報、及び／又は他の無線リソース管理（ＲＲＭ）情報に基づいて、ソースＨｅＮＢ１１−２は、ターゲットＨｅＮＢ１１−３に移動電話３をハンドオフするか否かを判断することができる。移動電話３がターゲットＨｅＮＢ１１−３にハンドオフされるべきであると判断される場合には、ソースＨｅＮＢ１１−２は、ターゲットＨｅＮＢ１１−３にハンドオーバー要求４２を送信し、ハンドオーバー要求４２は、サービス品質に関連する情報及び他のパラメーター等、ターゲットＨｅＮＢ１１−３がハンドオーバーを準備するために必要な情報を含む。
【００４７】
ターゲットＨｅＮＢ１１−３は、受信された情報に依拠して、アドミッション制御機能を実行することができ、ターゲットＨｅＮＢ１１−３によって必要なリソースを与えることができる場合には、ターゲットＨｅＮＢ１１−３は、要求されるサービス品質等を与えるために必要とされるリソースを構成する。物理層及びリンク層（Ｌ１＆Ｌ２）リソースが構成されると、ターゲットＨｅＮＢ１１−３は、ソースＨｅＮＢ１１−２にハンドオーバー要求確認応答メッセージ４４を送信する。ハンドオーバー要求確認応答メッセージ４４は、ハンドオーバーを実行するための無線リソース制御（ＲＲＣ）メッセージのような、移動電話に送信されることになるトランスペアレントコンテナーを含む。
【００４８】
ソースＨｅＮＢ１１−２がハンドオーバー要求確認応答４４を受信すると、又はダウンリンクにおいてハンドオーバー命令の送信が開始されると、ソースＨｅＮＢ１１−２において受信されたデータがターゲットＨｅＮＢ１１−３に転送され、移動電話に中継されるように、データ転送を実行することができる。
【００４９】
ターゲット基地局１１−３は、経路切替要求５０を用いて、コアネットワーク８内のＭＭＥ６に、ユーザー機器のハンドオーバーを通知する。経路切替要求手順の目的は、ダウンリンクＧＴＰ（ＧＰＲＳトンネリングプロトコル）トンネルがターゲットＨｅＮＢ１１−３にあるＧＴＰトンネルエンドポイントに向けられることを要求することである。
【００５０】
経路切替要求メッセージ５０の一例が表１において詳述される。表１では、以下の略語が用いられる。Ｅ−ＲＡＢは、発展型ＵＭＴＳ陸上無線アクセスネットワーク−無線アクセスベアラを示すために用いられる；ＩＥは情報要素を示すために用いられる；ＧＴＰ−ＴＥＩＤは、ＧＰＲＳトンネリングプロトコルトンネルエンドポイント識別子を示すために用いられる；Ｅ−ＵＴＲＡＮ  ＣＧＩは、発展型ＵＭＴＳ陸上無線アクセスネットワークセルグローバル識別子を示すために用いられる。
【００５１】
【表１】
2013541232.tif 000003
【００５２】
経路切替要求に応答して、ＭＭＥは、図１に示されるようにコアネットワーク８内のＭＭＥ／Ｓ−ＧＷ６の一部を形成するサービングゲートウェイにベアラ更新要求（５４）又はセッション作成要求を送信し、サービングゲートウェイは更にこの要求５８をパケットデータネットワークゲートウェイ（図示せず）に中継することができる。
【００５３】
図４を参照しながら上記で説明された例では、ソースＨｅＮＢ及びターゲットＨｅＮＢはコアネットワーク８内の同じサービングゲートウェイによってサービングされる。この場合、図５に示されるように、ベアラ変更要求メッセージ５４が、ＭＭＥからサービングゲートウェイに、及びサービングゲートウェイからＰＤＮゲートウェイに送信される。図５に示されるように、これらのメッセージはサービングゲートウェイによって、及びＰＤＮゲートウェイによって確認応答される。図６に示される例では、ソース基地局及びターゲット基地局（例えば、ＨｅＮＢ１１−２、１１−３）は異なるサービングゲートウェイによってサービングされる。この例では、サービングゲートウェイリロケーションを実行するために、ＭＭＥはターゲットサービングゲートウェイにセッション作成要求を送信する。その際、ターゲットサービングゲートウェイは、ベアラ変更要求メッセージをＰＤＮゲートウェイに送信する。これが行なわれ、ターゲット基地局がソース基地局にリソース解放メッセージを送信すると、ＭＭＥはソースサービングゲートウェイにセッション削除要求を送信する。
【００５４】
コアネットワーク８においてダウンリンク経路が切り替えられた後に、移動電話３に向かう予定のパケットがターゲットＨＮＢ１１−３に送信される。その後、ターゲットＨｅＮＢ１１−３はソースＨｅＮＢ１１−２にＸ２ＡＰ  ＵＥコンテキスト解放メッセージ４６を送信して、ソースＨｅＮＢ１１−２に、移動電話に接続するためにソースＨｅＮＢ１１−２において以前に予約されたリソースを解放できることを通知するが、進行中の任意のデータ転送は継続することができる。
【００５５】
上記で言及されたように、Ｘ２ＡＰ  ＵＥコンテキスト解放メッセージ４６は、ＨｅＮＢゲートウェイ１５には与えられない。さらに、ターゲットＨｅＮＢ１１−３はＨｅＮＢゲートウェイ１５を介してコアネットワーク８に接続されていないので、経路切替要求／応答メッセージはＨｅＮＢゲートウェイ１５を超えて横断することはない。したがって、本発明の実施形態によれば、Ｘ２ＡＰコンテキスト解放メッセージを受信すると、ソースＨｅＮＢ１１−２は、ＨｅＮＢゲートウェイ１５に向かって、ＵＥコンテキストの解放を要求する。このように、ソースＨｅＮＢ１１−２からのメッセージ４８がＨｅＮＢ１５を横断し、ＨｅＮＢゲートウェイ１５に、移動電話３に関連付けられたリソース及びコンテキストを解放することができるという指示を与える。
【００５６】
したがって、本発明の実施形態によれば、図１、図２ａ及び図２ｂに示される例のように、移動局３がＨｅＮＢゲートウェイ１５を介してコアネットワーク８に結合されたソースＨｅＮＢ１１に関連付けられたセルから、ＨｅＮＢゲートウェイ１５に結合されていないターゲット基地局に関連付けられたセルに転送される任意のハンドオーバーシナリオの場合に、ソースＨｅＮＢ１１は、ＨｅＮＢゲートウェイ１５を横断するコンテキスト解放指示メッセージ４８を与え、移動電話３に関連付けられたコンテキスト及びリソースを解放することができることをゲートウェイ１５に通知する。
【００５７】
変更形態及び代替形態
上記で複数の詳細な実施形態が説明された。当業者であれば理解するように、上記の実施形態に対し、これらの実施形態において具現化される本発明から依然として利益を受けながら、複数の変更及び代替を行うことができる。
【００５８】
上記の検討はＨｅＮＢゲートウェイを介してコアネットワーク８に接続されたソースＨｅＮＢ１１−２から、同じＨｅＮＢゲートウェイ１５を介して接続されていないターゲットＨｅＮＢ１１−３へのユーザー機器のハンドオーバーに関連するが、逆方向の（すなわち、ＨｅＮＢゲートウェイ１５に結合されていない基地局から、ＨｅＮＢ  ＧＷ１５を介してコアネットワーク８に結合されたターゲットＨｅＮＢ１１−２への）ハンドオーバーも、結果として、標準規格において現時点で対処されていない問題につながるおそれがあることに留意されたい。そのようなハンドオーバーの一例が図７に示されており、移動電話３がソースＨｅＮＢ１１−３からターゲットＨｅＮＢ１１−２に転送される。ハンドオーバーが図示されるのは反対方向において行なわれる他の例示的な転送も図２ａ及び図２ｂに示される転送と類似した状況を含むことは理解されよう。
【００５９】
図８は、接続の終端点をターゲットＨｅＮＢ１１−２に転送される移動電話３に切り替えるようにコアネットワーク８に命令するために、ＨｅＮＢゲートウェイ１５を介して行なわれるターゲットＨｅＮＢ１１−２とコアネットワーク８のＭＭＥ６との間のメッセージの交換を示す。ターゲットＨｅＮＢへのハンドオーバーの調整はＸ２インターフェースを用いるので、ＨｅＮＢゲートウェイ１５を横断する、移動電話３に関連する第１のメッセージはＳ１−ＡＰ経路切替要求メッセージ５０である。したがって、これが最初に行われることであり、ハンドオーバーされる移動電話３のためのＵＥ関連シグナリングメッセージがＨｅＮＢゲートウェイにおいて受信される。このシナリオをサポートするために、本発明の幾つかの実施形態によれば、ＨｅＮＢゲートウェイ１５内に新たな機能を設けることができる。詳細には、以下の通りである。
・ＨｅＮＢゲートウェイ１５の移動電話登録モジュール１１５を、Ｓ１経路切替要求メッセージの受信時にＵＥコンテキストを割り当てるように更に構成することができる。
・ＨｅＮＢゲートウェイ１５が、ＭＭＥ６に向かうｅＮＢ  ＵＥ  Ｓ１ＡＰ  ＩＤＧＷと、ＨｅＮＢ１１−２に向かうＭＭＥ  ＵＥ  Ｓ１ＡＰ  ＩＤＧＷとを割り当てることを含む、ＨｅＮＢとコアネットワーク８との間でハンドオーバーされるＵＥ３に関連付けられた後続のメッセージのためのプロキシ機能を提供することができる。ＨｅＮＢゲートウェイは、必要に応じてプロキシ機能に従って、ＭＭＥ  Ｓ１ＡＰ  ＵＥ  ＩＤ値及びｅＮＢ  Ｓ１ＡＰ  ＵＥ  ＩＤを交換することになる。
・ＨｅＮＢゲートウェイは、更なるハンドオーバー時に用いるために、ターゲットＨｅＮＢへのＳ１ＡＰ経路切替確認応答メッセージ内に実際のＭＭＥ  ＵＥ  Ｓ１ＡＰ  ＩＤ値を含むことを要求される場合がある。
【００６０】
さらに、更なるＸ２ベースのハンドオーバー手順をサポートするために、ターゲットＨｅＮＢ１１−２は、移動電話３に関連付けられ、Ｘ２ベースのハンドオーバー手順の一部としてソースＨｅＮＢ又はｅＮＢから受信されたｅＮＢ  ＵＥ  Ｓ１ＡＰ  ＩＤ値及びＭＭＥ  ＵＥ  Ｓ１ＡＰ  ＩＤ値を格納すべきである。
【００６１】
その後、ターゲットＨｅＮＢは、ＨｅＮＢ  ＧＷ１５及びＭＭＥ６に向かう他の全てのシグナリングのためにＨｅＮＢ  ＧＷ１５によって与えられるＭＭＥ  ＵＥ  Ｓ１ＡＰ  ＩＤＧＷ値を使用しながら、今後のハンドオーバー時に使用するために、ハンドオーバー中にソースｅＮＢから受信されたＭＭＥ  ＵＥ  Ｓ１ＡＰ  ＩＤを格納することができる。
【００６２】
代替的には、ＨｅＮＢ  ＧＷ１５は、移動電話３に関連付けられたＨｅＮＢ１１−２に別のＭＭＥ  ＵＥ  Ｓ１ＡＰ  ＩＤＧＷ値及びＭＭＥ  ＵＥ  Ｓ１ＡＰ  ＩＤ２値を与えることができる。この場合、ＨｅＮＢ１１−２は、今後のＸ２ベースのハンドオーバー手順において用いるためにＭＭＥ  ＵＥ  Ｓ１ＡＰ  ＩＤ２を格納することになる。
【００６３】
上記の実施形態では、移動電話ベースの通信システムが説明された。当業者であれば理解するように、本出願において記載されるシグナリング技法を他の通信システムに用いることができる。他の通信ノード又は通信デバイスは、例えば、個人用携帯情報端末、ラップトップコンピューター、ウェブブラウザー等のようなユーザー機器デバイスを含むことができる。
【００６４】
上述した実施形態において、移動電話及びＨＮＢはそれぞれ送受信機回路部を備える。通常、この回路部は、専用ハードウェア回路によって形成される。しかしながら、幾つかの実施形態では、送受信機回路部の一部を対応するコントローラーによって実行されるソフトウェアとして実装することができる。
【００６５】
上記の実施形態では、複数のソフトウェアモジュールが説明された。当業者であれば理解するように、それらのソフトウェアモジュールは、コンパイルされた形式でもコンパイルされていない形式でも提供することができ、コンピューターネットワークを介した信号として又は記録媒体上で、ＨＮＢ又は移動電話に供給することができる。さらに、このソフトウェアの一部又は全てによって実行される機能は、１つ又は複数の専用ハードウェア回路を用いて実行することができる。しかしながら、ソフトウェアモジュールの使用によって、基地局、ゲートウェイ及び移動電話の機能を更新するためにその基地局、ゲートウェイ、及び移動電話を更新するのが容易になるため、ソフトウェアモジュールの使用が好ましい。
【００６６】
上記で与えられたハンドオーバープロセスの説明はホームＮｏｄｅＢを具体的に参照しながら与えられてきたが、本発明の実施形態はｅＮｏｄｅＢ又はＲＡＮ基地局のような他の基地局にも適用することができる。
【００６７】
上記の検討は、ＨｅＮＢゲートウェイ１５を介してコアネットワークに結合されたＨｅＮＢ１１−２と、コアネットワークに直接結合された更なるＨｅＮＢ１１−３との間のハンドオーバーに関連するが、本発明の他の実施形態では、ハンドオーバーは、異なるＨｅＮＢゲートウェイを介してコアネットワークに結合された２つのＨｅＮＢ１１間で行われる場合があることに留意されたい。
【００６８】
種々の他の変更は当業者には明らかであり、ここでは、これ以上詳しくは説明しない。
【００６９】
以下は、現在提案されている３ＧＰＰ標準規格において本発明を実施できる方法の詳細な説明である。種々の機構が不可欠であるか、又は必要であるように記述されるが、これは、例えば、その標準規格によって課せられる他の要件に起因して、提案された３ＧＰＰ標準規格の場合のみあてはまる場合がある。それゆえ、ここで述べられることは、本発明を多少なりとも制限するものと解釈されるべきではない。
【００７０】
序論
前回のＲＡＮ３ミーティング（ＲＡＮ３＃７０ｂｉｓ）中に、検討資料［１］が、ＨｅＮＢのためのＸ２ベースの移動性に関連する未解決の問題を明らかにした。その資料において検討されたように、ＨｅＮＢ  ＧＷに関する或る特定の展開シナリオの場合に、Ｘ２ベースのＨＯ後に、ＨｅＮＢ  ＧＷは、ＵＥコンテキスト及び関連するリソースを保ったままにされることになる。ＲＡＮ３はその問題を認め、この問題に関して更に検討し、解決策を見つけることにした。この検討資料はその問題を解析し、可能性がある解決策を提案する。
【００７１】
２  説明
その問題は以下の２つの場合にＸ２ＨＯ中に生じることになると認められた。
（ａ）ソースＨｅＮＢがＨｅＮＢ  ＧＷを介してＭＭＥに接続され、ターゲットＨｅＮＢがＭＭＥに直接接続される。
（ｂ）ソースＨｅＮＢ及びターゲットＨｅＮＢが異なるＨｅＮＢ  ＧＷに接続される。
【００７２】
ソースＨｅＮＢがＨｅＮＢ  ＧＷの背後で接続されるので、２対のＵＥ関連接続が確立され、一方がＨｅＮＢとＨｅＮＢ  ＧＷとの間に、もう一方がＨｅＮＢ  ＧＷとＭＭＥと間に確立される。同じＵＥのための接続されるこれら２つのＵＥ関連シグナリングのマッピングはＨｅＮＢ  ＧＷによって実行される。それゆえ、ＵＥコンテキスト及び関連するリソースはＨｅＮＢ及びＨｅＮＢ  ＧＷの両方において割り当てられる。
【００７３】
Ｘ２ベースのＨＯ中に、ターゲットＨｅＮＢは、Ｘ２ＡＰ  ＵＥコンテキスト解放手順を用いて、ソースＨｅＮＢにおいてＵＥコンテキストを明示的に解放する。一方、Ｓ１ＡＰ  Ｃプレーンメッセージ、すなわち、Ｓ１ＡＰ経路選択要求／応答メッセージは、ＨｅＮＢ  ＧＷの中を横断しないので、ＨｅＮＢ  ＧＷは、ＵＥが他のＨｅＮＢに（Ｘ２を介して）ハンドオーバーされたことを理解するすべがない。結果として、ＨｅＮＢ  ＧＷによって割り当てられたＵＥコンテキスト情報及び関連するリソースは保ち続けたままになる。前回のＲＡＮ３ミーティング中に３つの可能な解決策が検討された。
１．ソースＨｅＮＢ  ＧＷは自らＵＥコンテキストを解放する。
２．ソースＨｅＮＢ  ＧＷは、ソースＨｅＮＢからの要求に応じてＵＥコンテキストを解放する。
３．ソースＨｅＮＢ  ＧＷは、ＭＭＥからの命令に応じてＵＥコンテキストを解放する。
【００７４】
ＨｅＮＢ  ＧＷ内のＳ１−Ｕ集中はオプションであることに留意すると、解決策１は、おそらく、ＨｅＮＢ  ＧＷ  Ｓ１−ＵプレーンがＨｅＮＢ  ＧＷの中を横断する場合の展開シナリオに対処することができるので、このシナリオは不十分であると考えられる（更に研究する必要がある）。解決策３は、良好に機能することができるが、この特定の使用事例のみに対処するのはＭＭＥの挙動にとって大きな変更とみなされる。それゆえ、ＭＭＥに全く影響を及ぼさない解決策２に関して更に研究することが理に適っている。
【００７５】
解決策２の本質は、ソースＨｅＮＢがＨｅＮＢ  ＧＷに向かってＵＥコンテキストの解放を要求することである。これを取り扱うのに２つの取り得るオプションがある。
【００７６】
オプション１：既存のＳ１ＡＰ  ＵＥコンテキスト解放要求を再利用する−ｅＮＢ開始手順
オプション１の利点は、任意の新たな手順を定義する必要がないことである。一方、この解決策に関して幾つかの欠点がある。第一に、この手順は、異常な場合（ＴＳ  ３６．４１３のように）に使用することを意図しており、正常なＸ２  ＨＯの場合に使用することを意図していない。第二に、ＨｅＮＢがＨｅＮＢ  ＧＷに向かってＵＥコンテキストの解放をトリガーしなければならないので、Ｘ２ＨＯ中に付加的なシグナリングが必要となる。第三に、ＨｅＮＢ  ＧＷはＨｅＮＢからの全てのＳ１ＡＰ  ＵＥ  ＣＯＮＴＥＸＴ  ＲＥＬＥＡＳＥ  ＲＥＱＵＥＳＴを調べる必要があり、その後、このメッセージがＭＭＥに送信されるべきであるか（この手順の既存の使用事例の場合）、又はＨｅＮＢ  ＧＷにおいて終端されるべきであるか（Ｘ２ベースのＨＯに起因してトリガーされる場合）を判断する。そして、最後に、ＨｅＮＢ  ＧＷは、ＨｅＮＢからＳ１ＡＰ  ＵＥ  ＣＯＮＴＥＸＴ  ＲＥＬＥＡＳＥ  ＲＥＱＵＥＳＴを受信した後に、ＵＥコンテキスト解放（ＭＭＥ開始）手順（クラス１）をトリガーする必要があり、それは更に多くのシグナリングを意味する。
【００７７】
オプション２：Ｘ２ＡＰ  ＵＥコンテキスト解放指示手順に倣って新たなクラス２手順を定義する
第２の容易な仕組みは、Ｘ２ＡＰ  ＵＥコンテキスト解放手順に倣って新たなクラス２手順を定義することである。ソースＨｅＮＢは、ターゲットＨｅＮＢからのＸ２ＡＰ  ＵＥコンテキスト解放の受信時にその手順をトリガーすることになる。ＨｅＮＢは全てのＵＥ  ＣＯＮＴＥＸＴ  ＲＥＬＥＡＳＥ  ＲＥＱＵＥＳＴメッセージの理由を調べる必要はないので、この場合のＨｅＮＢ  ＧＷの挙動は簡単になる。当然、ＨｅＮＢがＵＥ関連シグナリングメッセージを終端する必要があるという短所があるが、それは例外である。代替形態として、非ＵＥ関連シグナリングを用いることもできる。上記の評価に基づいて、オプション２は必要とするシグナリングが少なく、ＨｅＮＢ／ＨｅＮＢ  ＧＷにおいて実施するのが複雑でないので、オプション２を選択する。
【００７８】
提案１：ＮＥＣはＨｅＮＢ  ＧＷにおけるＵＥコンテキスト解放問題を解決するためにオプション２について合意することを提案する。
ＴＳ３６．４１３及びＴＳ３６．３００の必要な変更は以下に記述される通りである（付録）。合意する場合、ＮＥＣは必要なＣＲを喜んで提供する。
【００７９】
３  結論及び提案
提案１：ＮＥＣはＨｅＮＢ  ＧＷ問題におけるＵＥコンテキスト解放を解決するためにオプション２について合意することを提案する。
【００８０】
４  参考文献
［１］TS36.300 E-UTRAN stage-2
［２］R3-110108 UE Context Release in the source HeNB GW
【００８１】
付録Ａ．１
このセクションは、仕様書において必要とされる必要なステージ２／３の変更を記述する。
【００８２】
ＴＳ３６．４１３のための変更
８．３．ｘ  ＵＥコンテキスト解放指示
８．３．ｘ．１  総則
ＵＥコンテキストが解放されるべきであることをソースＭＭＥに示すようにシグナリングするために、ｅＮＢによってＵＥコンテキスト解放指示手順が開始される。
【００８３】
その手順はＵＥ関連シグナリングを使用する。
【００８４】
８．３．ｘ．２  成功動作
ｅＮＢによってＵＥコンテキスト解放指示手順が開始される。ＵＥ  ＣＯＮＴＥＸＴ  ＲＥＬＥＡＳＥ  ＩＮＤＩＣＡＴＩＯＮメッセージを送信することによって、ターゲットｅＮＢはＭＭＥにＸ２ハンドオーバー成功を通知し、リソースの解放をトリガーする。この手順は、ＭＭＥによってＭＭＥ  ＵＥ  Ｓ１ＡＰ  ＩＤ及びＭＭＥ  ＵＥ  Ｓ１ＡＰ  ＩＤ２に対して異なる値が割り当てられた場合にのみ、ｅＮＢによってトリガーされる。
【００８５】
ＭＭＥは、ＵＥ  ＣＯＮＴＥＸＴ  ＲＥＬＥＡＳＥメッセージの受信時に、ＵＥコンテキスト、及びＵＥコンテキストに関連付けられた関連するリソースを解放することができる。
【００８６】
８．３．ｘ．３  失敗動作
適用せず
【００８７】
８．３．ｘ．４  異常状態
適用せず
【００８８】
次の変更
９．１．１．５  ＵＥ  ＣＯＮＴＥＸＴ  ＲＥＬＥＡＳＥ指示
このメッセージは、リソースを解放できることを示すために、ｅＮＢによってＭＭＥに送信される。
方向：ｅＮＢ→ＭＭＥ
【００８９】
【表２】
2013541232.tif 000004
【００９０】
ＴＳ３６．３００のための変更
４．６．２  機能分割
ＨｅＮＢはセクション４．１において記述されるようなｅＮＢと同じ機能を提供し、ＨｅＮＢ  ＧＷに接続する場合に以下の付加的な仕様を有する。
−適切なサービングＨｅＮＢ  ＧＷの発見。
−ＨｅＮＢは一度に単一のＨｅＮＢ  ＧＷにのみ接続すべきであり、すなわち、ＨｅＮＢにおいてＳ１フレックス機能は使用されるべきではない。
−ＨｅＮＢは別のＨｅＮＢ  ＧＷ又は別のＭＭＥに同時に接続しない。
−ＨｅＮＢによって用いられるＴＡＣ及びＰＬＭＮ  ＩＤはＨｅＮＢ  ＧＷによってもサポートされるべきである。
−ＵＥアタッチメント時のＭＭＥの選択は、ＨｅＮＢではなく、ＨｅＮＢ  ＧＷによって提供される。
−ＨｅＮＢはネットワーク計画を用いることなく展開することができる。ＨｅＮＢは地理的エリア間を移動することができるので、その場所に応じて、異なるＨｅＮＢ  ＧＷに接続することが必要な場合がある。
−Ｘ２  ＨＯの完了時に、ＵＥコンテキストを解放し、ＵＥコンテキスト解放手順をトリガーする。
【００９１】
ＨｅＮＢ  ＧＷ接続に関係なく：
−ＨｅＮＢはＬＩＰＡ機能をサポートすることができる。詳細に関してはセクション４．６．５を参照。
【００９２】
ＨｅＮＢ  ＧＷは以下の機能を提供する。
−ＵＥをサービングするＭＭＥとＵＥをサービングするＨｅＮＢとの間でＵＥ関連Ｓ１アプリケーションパートメッセージを中継する。
−ＨｅＮＢに向かって、かつＭＭＥに向かって非ＵＥ関連Ｓ１アプリケーションパート手順を終了する。ＨｅＮＢ  ＧＷが展開されるときに、ＨｅＮＢとＨｅＮＢ  ＧＷとの間で、かつＨｅＮＢ  ＧＷとＭＭＥとの間で非ＵＥ関連手順が実行されるべきであることに留意されたい。
−オプションで、ＨｅＮＢ及びＳ−ＧＷとのＳ１−Ｕインターフェースを終端する。
−ＨｅＮＢによって用いられるＴＡＣ及びＰＬＭＮ  ＩＤをサポートする。
−Ｘ２インターフェースは、ＨｅＮＢ  ＧＷと他のノードとの間で確立されるべきではない。
−ＵＥコンテキスト解放手順を終了し、ＨｅＮＢからの指示に基づいてＵＥコンテキストを解放する。
【００９３】
ＣＳＧ  ＩＤのリストがＰＡＧＩＮＧメッセージに含まれる場合がある。含まれる場合には、ＨｅＮＢ  ＧＷはページング最適化のためにＣＳＧ  ＩＤのリストを使用することができる。
【００９４】
セクション４．１において規定される機能に加えて、ＭＭＥは以下の機能を提供する。
−クローズド加入者グループ（ＣＳＧ）のメンバーであるＵＥのためのアクセス制御。
−ＣＳＧセルにハンドオーバーする場合に、アクセス制御はサービングＥ−ＵＴＲＡＮによってＭＭＥに与えられるターゲットＣＳＧ  ＩＤに基づく。
−ハイブリッドセルにハンドオーバーするＵＥのためのメンバーシップ検証。
−ハイブリッドセルにハンドオーバーする場合に、メンバーシップ検証は、セルアクセスモードの存在によってトリガーされ、サービングＥ−ＵＴＲＡＮによってＭＭＥに与えられるターゲットＣＳＧ  ＩＤに基づく。
−ＵＥがＣＳＧセル又はハイブリッドセルによってサービングされているときの、ハイブリッドセルへのアタッチメント／ハンドオーバーの場合、及びメンバーシップステータスの変更の場合の、ターゲットＥ−ＵＴＲＡＮへのＣＳＧメンバーシップステータスシグナリング。
−ＵＥのメンバーシップステータスの変更後のｅＮＢ動作の管理。
−メッセージに含まれるＴＡＩに基づいて、ハンドオーバーメッセージ及びＭＭＥ構成転送メッセージをＨｅＮＢ  ＧＷに向かってルーティングすること。
注記：信頼できないＨｅＮＢ又はｅＮＢにページングメッセージを直接送信するときに、ＭＭＥ又はＨｅＮＢ  ＧＷはページングのためのＣＳＧ  ＩＤのリストを含むべきではない。
−ＭＭＥはＨｅＮＢとともにＬＩＰＡ機能をサポートすることができる。セクション４．６．５においてこのサポートの詳細を参照されたい。
【００９５】
付録Ａ．２
９．１．５．９  経路切替要求確認応答
このメッセージはＥＰＣにおいて経路切替の完了に成功したことをｅＮＢに通知するためにＭＭＥによって送信される。
方向：ＭＭＥ→ｅＮＢ
【００９６】
【表３】
2013541232.tif 000005
【００９７】
【表４】
2013541232.tif 000006
【図１】
2013541232.tif 000007
【図２ａ】
2013541232.tif 000008
【図２ｂ】
2013541232.tif 000009
【図３】
2013541232.tif 000010
【図４】
2013541232.tif 000011
【図５】
2013541232.tif 000012
【図６】
2013541232.tif 000013
【図７】
2013541232.tif 000014
【図８】
2013541232.tif 000015
【手続補正書】
【提出日】平成25年6月28日(2013.6.28)
【手続補正１】
【補正対象書類名】特許請求の範囲
【補正対象項目名】全文
【補正方法】変更
【補正の内容】
【特許請求の範囲】
【請求項１】
複数の移動デバイスと通信し、ホーム基地局ゲートウェイを介してコアネットワークに結合される基地局であって、
ハンドオーバープロセスを実行するように構成される接続管理モジュールを備え、該接続管理モジュールは、
移動デバイスに関連付けられた通信リンクを該基地局から別の基地局に転送する手段と、
ハンドオーバーが完了したことを示すメッセージを前記別の基地局から受信する手段及び、
前記ハンドオーバーが完了したことを示すメッセージを受信するのに応答して、前記ホーム基地局ゲートウェイに指示を送信するように動作可能な手段を備え、
前記ホーム基地局ゲートウェイは、前記指示に応答して、前記移動デバイスに関連したリソース及び／又はコンテキストを開放するように構成されている基地局。
【請求項２】
前記基地局はホーム基地局を含む、請求項１に記載の基地局。
【請求項３】
前記通信リンクを別の基地局に転送するための手段は、前記ホーム基地局ゲートウェイ以外の前記コアネットワークに接続された基地局に前記通信リンクを転送するように動作する請求項１又は２に記載の基地局。
【請求項４】
前記通信リンクを別の基地局に転送するための手段は、移動管理エンティティ（ＭＭＥ）を介して前記コアネットワークに結合された基地局に、前記通信リンクを転送するように動作する請求項３に記載の基地局。
【請求項５】
前記通信リンクを別の基地局に転送するための手段は、更に他のホーム基地局に、前記通信リンクを転送するように動作する請求項３に記載の基地局。
【請求項６】
前記更に他の基地局は、更に他の基地局ゲートウェイを介して前記コアネットワークに結合されている請求項５に記載の基地局。
【請求項７】
前記通信リンクを別の基地局に転送する手段は、マクロセルを動作させる基地局に前記通信リンクを転送する手段を含む、請求項３に記載の基地局。
【請求項８】
前記ハンドオーバープロセスはＸ２ベースのハンドオーバー手順を含んでいる請求項１〜７のいずれか一項に記載の基地局。
【請求項９】
前記ハンドオーバーが完了したことを指示する前記メッセージは、ＵＥコンテキスト開放メッセージを含んでいる請求項１〜８のいずれか一項に記載の基地局。
【請求項１０】
前記ホーム基地局ゲートウェイが前記移動デバイスに関連したリソース及び／又はコンテキストを開放する前記指示は、ＵＥコンテキスト開放要求である請求項１〜９のいずれか一項に記載の基地局。
【請求項１１】
前記ホーム基地局ゲートウェイが前記移動デバイスに関連したリソース及び／又はコンテキストを開放する前記指示は、ＵＥコンテキスト開放指示である請求項１〜９のいずれか一項に記載の基地局。
【請求項１２】
基地局ゲートウェイを介してコアネットワークに結合されたソース基地局からターゲット基地局への移動デバイスのハンドオーバーを実行し、
前記ターゲット基地局からハンドオーバーが完了したことを示すメッセージを受信し、
前記ハンドオーバーが完了したことを示すメッセージを受信して、前記基地局ゲートウェイが、前記移動デバイスに関連したリソース及び／又はコンテキストを開放する指示を前記基地局に送信することを含む、通信ネットワークにおいてハンドオーバーを容易にする方法。
【請求項１３】
複数の基地局と通信し、コアネットワークに結合されるホーム基地局ゲートウェイであって、
前記基地局ゲートウェイに結合された基地局から、移動デバイスに関連付けられた通信リンクが該基地局から更なる基地局に転送されたという指示を受信する手段を含み、
該指示を受信するのに応答して、該移動デバイスに関連付けられたリソース及び／又はコンテキストを解放するように構成されたホーム基地局ゲートウェイ。
【請求項１４】
前記更なる基地局は前記基地局ゲートウェイを介して前記コアネットワークに結合されていない、請求項１３に記載のホーム基地局ゲートウェイ。
【請求項１５】
前記通信リンクの前記転送はＸ２ベースのハンドオーバー手順を含む、請求項１３又は１４に記載のホーム基地局ゲートウェイ。
【請求項１６】
前記基地局はホーム基地局を含む、請求項１３〜１５のいずれか一項に記載のホーム基地局ゲートウェイ。
【請求項１７】
基地局ゲートウェイにおいて、該基地局ゲートウェイに結合された基地局から、移動デバイスに関連付けられた通信リンクが該基地局から更なる基地局に転送されたという指示を受信し、
前記指示の受信に応答して、前記移動デバイスに関連付けられたコンテキストを解放することを含む、通信ネットワークにおいてハンドオーバーを容易にする方法。
【請求項１８】
複数の基地局と通信し、且つ、コアネットワークに結合されたホーム基地局ゲートウェイであって、前記基地局に転送された通信リンクに関連した経路切替要求を基地局から受信する手段と、
前記経路切替要求を通信ネットワークの通信ノードにルーティングする手段と、
移動デバイスを識別する指示を含む経路切替確認応答を前記通信ノードから受信する手段及び、
前記通信ノードによって与えられた前記移動デバイスを識別する指示及び前記ホーム基地局ゲートに割り当てられた前記移動デバイスを識別する更に別の指示を含む経路切替確認応答を、前記基地局に送信する手段を含むホーム基地局ゲートウェイ。
【請求項１９】
前記通信ノードによって与えられた前記移動デバイスを識別する前記指示は、ＭＭＥ  ＵＥ  Ｓ１ＡＰ  ＩＤを含んでいる請求項１８記載のホーム基地局ゲートウェイ。
【請求項２０】
前記ホーム基地局ゲートウェイに割り当てられた前記移動デバイスを識別する前記更に別の指示は、ＭＭＥ  ＵＥ  Ｓ１ＡＰ  ＩＤを含んでいる請求項１８又は１９記載のホーム基地局ゲートウェイ。
【請求項２１】
前記通信ノードは、移動管理エンティティ（ＭＭＥ）を含んでいる請求項１８〜２０のいずれか一項に記載のホーム基地局ゲートウェイ。
【請求項２２】
基地局に転送される通信リンクに関連付けられた前記基地局からの経路切替要求を識別するように構成される移動電話登録モジュールを備え、
前記移動電話登録モジュールは、前記経路切替要求を識別するのに応答して、前記通信リンクに関連付けられた移動デバイスにコンテキストを割り当てるように更に構成されている、複数の基地局と通信し、コアネットワークに結合されるホーム基地局ゲートウェイ。
【請求項２３】
前記基地局は前記基地局ゲートウェイを介して前記コアネットワークに結合される、請求項１８〜２２のいずれか一項に記載のホーム基地局ゲートウェイ。
【請求項２４】
前記通信リンクの前記基地局への前記転送はＸ２ベースのハンドオーバー手順を含む、請求項１８〜２３のいずれか一項に記載のホーム基地局ゲートウェイ。
【請求項２５】
複数の移動デバイスと通信し、ホーム基地局ゲートウェイを介してコアネットワークに結合される基地局であって、
前記基地局に転送される通信リンクに関連した経路切替要求をホーム基地局ゲートウェイに送信する手段と、
通信ノードによって与えられる移動デバイスを識別する指示及び前記ホーム基地局ゲートウェイによって割り当てられた前記移動デバイスを識別する別の指示を含む経路切替確認応答をホーム基地局ゲートウェイから受信する手段を備えている基地局。
【請求項２６】
前記通信ノードによって与えられる移動デバイスを識別する前記指示はＭＭＥ  ＵＥ  Ｓ１ＡＰ  ＩＤを含んでいる請求項２５記載の基地局。
【請求項２７】
前記ホーム基地局ゲートウェイによって割り当てられた前記移動デバイスを識別する別の指示はＭＭＥ  ＵＥ  Ｓ１ＡＰ  ＩＤを含んでいる請求項２５又は２６記載の基地局。
【請求項２８】
複数の移動デバイスと通信し、ホーム基地局ゲートウェイを介してコアネットワークに結合される基地局であって、
ハンドオーバープロセスを実行するように構成される接続管理モジュールを備え、該ハンドオーバープロセスは、
前記コアネットワークに結合され、前記ホーム基地局ゲートウェイとは別の基地局から、移動デバイスに関連付けられた通信リンクを前記基地局に転送することを含み、
前記ハンドオーバープロセスは、更に、前記別の基地局から、前記移動デバイスを識別する情報を与えるメッセージを受信し、該基地局において前記移動デバイスを識別する前記情報を格納することを含む基地局。
【請求項２９】
前記基地局はホーム基地局を含む、請求項２５〜２８のいずれか一項に記載の基地局。
【請求項３０】
前記通信リンクの前記転送はＸ２ベースのハンドオーバー手順を含む、請求項２５〜２８のいずれか一項に記載の基地局。
【請求項３１】
前記移動デバイスを識別する前記情報は、ＭＭＥ  ＵＥ  Ｓ１ＡＰ  ＩＤ値を含む、請求項２８に記載の基地局。
【請求項３２】
複数の移動デバイスと通信し、ホーム基地局ゲートウェイを介してコアネットワークに結合された基地局であって、
前記基地局は、
ハンドオーバープロセスを実行する接続管理モジュールを含み、
前記ハンドオーバープロセスは、前記基地局から、前記コアネットワークに結合された前記ホーム基地局ゲートウェイとは別の基地局に、移動デバイスに関連した通信リンクを転送すると共に、
ハンドオーバーが完了したことを示すメッセージを前記別の基地局から受信し、前記ハンドオーバーが完了したことを示す前記メッセージを受信すると、前記移動デバイスが最早結合されていないことを前記ホーム基地局ゲートウェイに指示するように構成された基地局。
【請求項３３】
複数の移動デバイスと通信し、ホーム基地局ゲートウェイを介してコアネットワークに結合された基地局であって、
前記基地局は、ハンドオーバープロセスを実行する接続管理モジュールを含み、
前記接続管理モジュールは、
前記コアネットワークに結合された前記ホーム基地局ゲートウェイとは別の基地局から前記基地局に移動デバイスに関連した通信リンクを転送する手段と、
前記移動デバイスを識別する情報を与えるメッセージを前記別の基地局から受信する手段と、
前記基地局において前記移動デバイスを識別するための前記情報を格納する手段を有する基地局。
【請求項３４】
複数の基地局とコアネットワークを有する通信ネットワークにおけるホーム基地局ゲートウェイで実行される方法であって、
前記基地局に転送された通信リンクに関連した経路切替要求を前記基地局から受信し、
前記通信ネットワークの通信ノードに前記経路切替要求をルーティングすると共に、
移動デバイスを識別する指示を含む経路切替確認応答を前記通信ノードから受信して、
前記通信ノードによって与えられた前記移動デバイスを識別する指示と、前記ホーム基地局ゲートウェイによって割り当てられた前記移動デバイスを識別する別の指示を含む経路切替確認応答を送信する方法。
【請求項３５】
複数の基地局とコアネットワークを有する通信ネットワークにおけるホーム基地局ゲートウェイで実行される方法であって、
前記基地局に転送された通信リンクに関連した経路切替要求を識別し、
前記経路切替要求の識別に応答して、前記通信リンクに関連した移動デバイスにコンテキストを割り当てる方法。
【請求項３６】
複数の移動デバイスを含む通信ネットワークのホーム基地局ゲートウェイを介してコアネットワークに結合された基地局によって実行される方法であって、
前記基地局に転送された通信リンクに関連した経路切替要求を前記ホーム基地局ゲートウェイに送信し、
通信ノードによって与えられた移動デバイスを識別する指示及び前記ホーム基地局ゲートウェイによって割り当てられた前記移動デバイスを識別する別の指示を含む経路切替確認応答を前記基地局ゲートウェイから受信する方法。
【請求項３７】
複数の移動デバイスを含む通信ネットワークのホーム基地局ゲートウェイを介してコアネットワークに結合された基地局によって実行される方法であって、
前記方法はハンドオーバープロセスを含み、当該ハンドオーバープロセスは、
前記ホーム基地局ゲートウェイとは異なる前記コアネットワークに結合された別の基地局から、移動デバイスに関連した通信リンクを前記基地局に対して転送し、前記移動デバイスを識別する情報を与える前記別の基地局からのメッセージを受信して、前記基地局において前記移動デバイスを識別する情報を格納する方法。
【請求項３８】
請求項１〜１１、又は、２５〜３３のいずれか一項に記載された前記基地局と通信を行える移動デバイス。
【請求項３９】
プロセッサで実行される際、請求項１２、１７、又は３４〜３７のいずれか一項に記載されたステップを実行できるように構成されたコンピュータプログラム。
【請求項４０】
請求項１３〜１６又は１８〜２４のいずれか一項に係る基地局ゲートウェイを介してコアネットワークに接続された請求項１〜１１又は２６から３１のいずれか一項に係る基地局と、前記基地局及び前記基地局ゲートウェイを介してコアネットワークと通信できるように構成された移動デバイスとを含む通信システム。
【請求項４１】
ホーム基地局ゲートウェイを介してコアネットワークに結合された基地局であって、前記基地局は、ハンドオーバープロセスを実行できるように構成された接続管理モジュールを含み、
前記接続管理モジュールは、前記移動デバイスに関連した通信リンクを前記基地局から別の基地局に転送する手段と、ハンドオーバーが完了したことを示すメッセージを前記別の基地局から受信する手段と、前記ハンドオーバーが完了したことを示す前記メッセージを受けて、指示を前記ホーム基地局ゲートウェイに送信する手段を備え、  
前記ホーム基地局ゲートウェイは前記指示に応答して、前記移動デバイスに関連したリソース及び／又はコンテキストを開放するように構成された基地局と通信できる移動デバイス。
【請求項４２】
ホーム基地局ゲートウェイを介してコアネットワークに結合された基地局であって、前記基地局は、当該基地局に転送された通信リンクに関連した経路切替要求を前記ホーム基地局ゲートウェイに転送する手段及び通信ノードによって与えられる前記移動デバイスを識別する指示と、前記ホーム基地局ゲートウェイによって割り当てられた前記移動デバイスを識別する別の指示を含む経路切替確認応答を前記基地局ゲートウェイから受信する手段を有している基地局と通信できるように構成された移動デバイス。
【請求項４３】
ホーム基地局ゲートウェイを介してコアネットワークに結合された基地局であって、前記基地局は、ハンドオーバープロセスを実行できるように構成された接続管理モジュールを含み、前記ハンドオーバープロセスは、
前記コアネットワークに結合され、前記ホーム基地局ゲートウェイとは別の基地局から、前記移動デバイスに関連した通信リンクを前記基地局に転送し、更に、前記移動デバイスを識別する情報を与えるメッセージを前記別の基地局から受信するように構成されている基地局と通信できるように構成された移動デバイス。
【請求項４４】
ホーム基地局ゲートウェイを介してコアネットワークに結合された基地局であって、前記基地局は、ハンドオーバープロセスを実行できるように構成された接続管理モジュールを含み、前記ハンドオーバープロセスは、
前記コアネットワークに結合され、前記ホーム基地局ゲートウェイとは別の基地局から、前記移動デバイスに関連した通信リンクを前記基地局に転送し、
前記別の基地局から、ハンドオーバーが完了したことを示すメッセージを受信すると共に、ハンドオーバーが完了したことを示す当該メッセージの受信に応じて、前記移動デバイスが前記基地局に結合されていないことを示す指示を前記ホーム基地局ゲートウェイに送信するように構成された基地局と通信できる移動デバイス。
【国際調査報告】
2013541232.tif 000016
2013541232.tif 000017
2013541232.tif 000018
2013541232.tif 000019
2013541232.tif 000020